【手続補正書】
【提出日】平成28年1月15日(2016.1.15)
【手続補正１】
【補正対象書類名】特許請求の範囲
【補正対象項目名】全文
【補正方法】変更
【補正の内容】
【特許請求の範囲】
【請求項１】
符号化された音声信号を復号して音声信号を出力する音声復号装置であって、
前記符号化された音声信号を含む符号化系列を復号して復号信号を得る復号部と、
前記符号化系列の復号に関する復号関連情報に基づいて、復号信号における周波数帯域の時間包絡を整形する選択的時間包絡整形部と、
を備え、
前記選択的時間包絡整形部は、時間包絡を整形しない周波数帯域に対応する前記復号信号を周波数領域において他の信号に置き換えた後、時間包絡を整形する周波数および時間包絡を整形しない周波数に対応する復号信号を、周波数領域において線形予測分析することで線形予測係数を算出し、当該線形予測係数を用いたフィルタを用いて、周波数領域において前記時間包絡を整形する周波数および時間包絡を整形しない周波数に対応する復号信号をフィルタリング処理することで所望の時間包絡に整形し、時間包絡整形後に、前記時間包絡を整形しない周波数帯域に対応する復号信号は他の信号に置き換える前の元の信号に戻す、音声復号装置。
【請求項２】
符号化された音声信号を復号して音声信号を出力する音声復号装置であって、
入力された符号化系列から音声信号の時間包絡に関する時間包絡情報を抽出する時間包絡情報抽出部と、
前記符号化系列を復号して復号信号を得る復号部と、
前記時間包絡情報と前記符号化系列の復号に関する復号関連情報とに基づいて、復号信号における周波数帯域の時間包絡を整形する選択的時間包絡整形部と、
を備え、
前記選択的時間包絡整形部は、時間包絡を整形しない周波数帯域に対応する前記復号信号を周波数領域において他の信号に置き換えた後、時間包絡を整形する周波数および時間包絡を整形しない周波数に対応する復号信号を、周波数領域において線形予測分析することで線形予測係数を算出し、当該線形予測係数を用いたフィルタを用いて、周波数領域において前記時間包絡を整形する周波数および時間包絡を整形しない周波数に対応する復号信号をフィルタリング処理することで所望の時間包絡に整形し、時間包絡整形後に、前記時間包絡を整形しない周波数帯域に対応する復号信号は他の信号に置き換える前の元の信号に戻す、音声復号装置。
【請求項３】
前記復号部は、
前記符号化系列を復号および逆量子化の少なくともいずれか一方の処理を実行して周波数領域の復号信号を得る復号・逆量子化部と、
前記復号・逆量子化部における復号および逆量子化の少なくともいずれか一方の処理の過程で得られる情報、および前記符号化系列を解析して得られる情報のうち少なくとも一つを復号関連情報として出力する復号関連情報出力部と、
を備える請求項１または２に記載の音声復号装置。
【請求項４】
前記復号部は、
前記符号化系列から第１符号化系列と第２符号化系列を抽出する符号化系列解析部と、
前記第１符号化系列を復号および逆量子化の少なくともいずれか一方の処理を実行して第１復号信号を得て前記復号関連情報として第１復号関連情報を得る第１復号部と、
前記第２符号化系列と第１復号信号のうち少なくとも一つを用いて第２復号信号を得て出力し、前記復号関連情報として第２復号関連情報を出力する第２復号部と、
を備える請求項１または２に記載の音声復号装置。
【請求項５】
前記第１復号部は、前記第１符号化系列を復号および逆量子化の少なくともいずれか一方の処理を実行して第１復号信号を得る第１復号・逆量子化部と、
前記第１復号・逆量子化部における復号および逆量子化の少なくともいずれか一方の処理の過程で得られる情報、および前記第１符号化系列を解析して得られる情報のうち少なくとも一つを第１復号関連情報として出力する第１復号関連情報出力部と、
を備える請求項４に記載の音声復号装置。
【請求項６】
前記第２復号部は、
前記第２符号化系列と前記第１復号信号のうち少なくとも１つを用いて第２復号信号を得る第２復号・逆量子化部と、
前記第２復号・逆量子化部における第２復号信号を得る過程で得られる情報、および前記第２符号化系列を解析して得られる情報のうち少なくとも一つを第２復号関連情報として出力する第２復号関連情報出力部と、
を備える請求項４に記載の音声復号装置。
【請求項７】
前記選択的時間包絡整形部は、
前記復号関連情報に基づいて、前記周波数領域の復号信号を各周波数帯域の時間包絡を整形する周波数選択的時間包絡整形部と、
前記各周波数帯域の時間包絡を整形された周波数領域の復号信号を時間領域の信号に変換する時間・周波数逆変換部と、
を備える請求項１から６のいずれか１項に記載の音声復号装置。
【請求項８】
前記復号関連情報は、各周波数帯域の符号化ビット数に関連する情報である請求項１から７のいずれか１項に記載の音声復号装置。
【請求項９】
前記復号関連情報は、各周波数帯域の量子化値に関連する情報である請求項１から７のいずれか１項に記載の音声復号装置。
【請求項１０】
前記復号関連情報は、各周波数帯域の符号化方式に関連する情報である請求項１から７のいずれか１項に記載の音声復号装置。
【請求項１１】
前記復号関連情報は、各周波数帯域に注入される雑音成分に関連する情報である請求項１から７のいずれか１項に記載の音声復号装置。
【請求項１２】
前記選択的時間包絡整形部は、時間包絡を整形する周波数帯域に対応する前記復号信号を、当該復号信号を周波数領域において線形予測分析して得られた線形予測係数を用いたフィルタを用いて所望の時間包絡に整形する請求項１から１１のいずれか１項に記載の音声復号装置。
【請求項１３】
符号化された音声信号を復号して音声信号を出力する音声復号装置であって、
前記符号化された音声信号を含む符号化系列を復号して復号信号を得る復号部と、
前記復号信号を周波数領域において線形予測分析して得られた線形予測係数を用いたフィルタを用いて、周波数領域において前記復号信号をフィルタリング処理することで所望の時間包絡に整形する時間包絡整形部と、を備え、
前記時間包絡整形部は、時間包絡を整形しない周波数帯域に対応する前記復号信号を周波数領域において他の信号に置き換えた後、時間包絡を整形する周波数および時間包絡を整形しない周波数に対応する復号信号を、周波数領域において線形予測分析することで線形予測係数を算出し、当該線形予測係数を用いたフィルタを用いて、周波数領域において前記時間包絡を整形する周波数および時間包絡を整形しない周波数に対応する復号信号をフィルタリング処理することで所望の時間包絡に整形し、時間包絡整形後に、前記時間包絡を整形しない周波数帯域に対応する復号信号は他の信号に置き換える前の元の信号に戻す、音声復号装置。
【請求項１４】
符号化された音声信号を復号して音声信号を出力する音声復号装置の音声復号方法であって、
前記符号化された音声信号を含む符号化系列を復号して復号信号を得る復号ステップと、
前記符号化系列の復号に関する復号関連情報に基づいて、復号信号における周波数帯域の時間包絡を整形する選択的時間包絡整形ステップと、
を備え、
前記選択的時間包絡整形ステップは、時間包絡を整形しない周波数帯域に対応する前記復号信号を周波数領域において他の信号に置き換えた後、時間包絡を整形する周波数および時間包絡を整形しない周波数に対応する復号信号を、周波数領域において線形予測分析することで線形予測係数を算出し、当該線形予測係数を用いたフィルタを用いて、周波数領域において前記時間包絡を整形する周波数および時間包絡を整形しない周波数に対応する復号信号をフィルタリング処理することで所望の時間包絡に整形し、時間包絡整形後に、前記時間包絡を整形しない周波数帯域に対応する復号信号は他の信号に置き換える前の元の信号に戻す、音声復号方法。
【請求項１５】
符号化された音声信号を復号して音声信号を出力する音声復号装置の音声復号方法であって、
符号化系列から音声信号の時間包絡に関する時間包絡情報を抽出する抽出ステップと、
前記符号化系列を復号して復号信号を得る復号ステップと、
前記時間包絡情報と前記符号化系列の復号に関する復号関連情報のうち少なくとも一つに基づいて、復号信号における周波数帯域の時間包絡を整形する選択的時間包絡整形ステップと、
を備え、
前記選択的時間包絡整形ステップは、時間包絡を整形しない周波数帯域に対応する前記復号信号を周波数領域において他の信号に置き換えた後、時間包絡を整形する周波数および時間包絡を整形しない周波数に対応する復号信号を、周波数領域において線形予測分析することで線形予測係数を算出し、当該線形予測係数を用いたフィルタを用いて、周波数領域において前記時間包絡を整形する周波数および時間包絡を整形しない周波数に対応する復号信号をフィルタリング処理することで所望の時間包絡に整形し、時間包絡整形後に、前記時間包絡を整形しない周波数帯域に対応する復号信号は他の信号に置き換える前の元の信号に戻す、音声復号方法。
【請求項１６】
符号化された音声信号を復号して音声信号を出力する音声復号装置の音声復号方法であって、
前記符号化された音声信号を含む符号化系列を復号して復号信号を得る復号ステップと、
前記復号信号を周波数領域において線形予測分析して得られた線形予測係数を用いたフィルタを用いて、周波数領域において前記復号信号をフィルタリング処理することで所望の時間包絡に整形する時間包絡整形ステップと、を備え、
前記時間包絡整形ステップは、時間包絡を整形しない周波数帯域に対応する前記復号信号を周波数領域において他の信号に置き換えた後、時間包絡を整形する周波数および時間包絡を整形しない周波数に対応する復号信号を、周波数領域において線形予測分析することで線形予測係数を算出し、当該線形予測係数を用いたフィルタを用いて、周波数領域において前記時間包絡を整形する周波数および時間包絡を整形しない周波数に対応する復号信号をフィルタリング処理することで所望の時間包絡に整形し、時間包絡整形後に、前記時間包絡を整形しない周波数帯域に対応する復号信号は他の信号に置き換える前の元の信号に戻す、音声復号方法。
【請求項１７】
符号化された音声信号を含む符号化系列を復号して復号信号を得る復号ステップと、
前記符号化系列の復号に関する復号関連情報に基づいて、復号信号における周波数帯域の時間包絡を整形する選択的時間包絡整形ステップと、をコンピュータに実行させ、
前記選択的時間包絡整形ステップは、時間包絡を整形しない周波数帯域に対応する前記復号信号を周波数領域において他の信号に置き換えた後、時間包絡を整形する周波数および時間包絡を整形しない周波数に対応する復号信号を、周波数領域において線形予測分析することで線形予測係数を算出し、当該線形予測係数を用いたフィルタを用いて、周波数領域において前記時間包絡を整形する周波数および時間包絡を整形しない周波数に対応する復号信号をフィルタリング処理することで所望の時間包絡に整形し、時間包絡整形後に、前記時間包絡を整形しない周波数帯域に対応する復号信号は他の信号に置き換える前の元の信号に戻す、音声復号プログラム。
【請求項１８】
符号化系列から音声信号の時間包絡に関する時間包絡情報を抽出する抽出ステップと、
前記符号化系列を復号して復号信号を得る復号ステップと、
前記時間包絡情報と前記符号化系列の復号に関する復号関連情報のうち少なくとも一つに基づいて、復号信号における周波数帯域の時間包絡を整形する選択的時間包絡整形ステップと、をコンピュータに実行させ、
前記選択的時間包絡整形ステップは、時間包絡を整形しない周波数帯域に対応する前記復号信号を周波数領域において他の信号に置き換えた後、時間包絡を整形する周波数および時間包絡を整形しない周波数に対応する復号信号を、周波数領域において線形予測分析することで線形予測係数を算出し、当該線形予測係数を用いたフィルタを用いて、周波数領域において前記時間包絡を整形する周波数および時間包絡を整形しない周波数に対応する復号信号をフィルタリング処理することで所望の時間包絡に整形し、時間包絡整形後に、前記時間包絡を整形しない周波数帯域に対応する復号信号は他の信号に置き換える前の元の信号に戻す、音声復号プログラム。
【請求項１９】
符号化された音声信号を含む符号化系列を復号して復号信号を得る復号ステップと、
前記復号信号を周波数領域において線形予測分析して得られた線形予測係数を用いたフィルタを用いて、周波数領域において前記復号信号をフィルタリング処理することで所望の時間包絡に整形する時間包絡整形ステップと、をコンピュータに実行させ、
前記時間包絡整形ステップは、時間包絡を整形しない周波数帯域に対応する前記復号信号を周波数領域において他の信号に置き換えた後、時間包絡を整形する周波数および時間包絡を整形しない周波数に対応する復号信号を、周波数領域において線形予測分析することで線形予測係数を算出し、当該線形予測係数を用いたフィルタを用いて、周波数領域において前記時間包絡を整形する周波数および時間包絡を整形しない周波数に対応する復号信号をフィルタリング処理することで所望の時間包絡に整形し、時間包絡整形後に、前記時間包絡を整形しない周波数帯域に対応する復号信号は他の信号に置き換える前の元の信号に戻す、音声復号プログラム。
【手続補正２】
【補正対象書類名】明細書
【補正対象項目名】０００９
【補正方法】変更
【補正の内容】
【０００９】
上記課題を解決するため、本発明の一側面に係る音声復号装置は、符号化された音声信号を復号して音声信号を出力する音声復号装置であって、前記符号化された音声信号を含む符号化系列を復号して復号信号を得る復号部と、前記符号化系列の復号に関する復号関連情報に基づいて、復号信号における周波数帯域の時間包絡を整形する選択的時間包絡整形部と、を備え、前記選択的時間包絡整形部は、時間包絡を整形しない周波数帯域に対応する前記復号信号を周波数領域において他の信号に置き換えた後、時間包絡を整形する周波数および時間包絡を整形しない周波数に対応する復号信号を、周波数領域において線形予測分析することで線形予測係数を算出し、当該線形予測係数を用いたフィルタを用いて、周波数領域において前記時間包絡を整形する周波数および時間包絡を整形しない周波数に対応する復号信号をフィルタリング処理することで所望の時間包絡に整形し、時間包絡整形後に、前記時間包絡を整形しない周波数帯域に対応する復号信号は他の信号に置き換える前の元の信号に戻す。信号の時間包絡は、時間方向に対する信号のエネルギーまたはパワー（及び、これらと等価のパラメータ）の変動を表す。本構成により、少ないビット数で符号化された周波数帯域の復号信号の時間包絡を所望の時間包絡に整形し、品質を改善することが可能となる。さらに、より少ない演算量にて、周波数領域における復号信号を用いて、少ないビット数で符号化された周波数帯域の復号信号の時間包絡を所望の時間包絡に整形し、品質を改善することが可能となる。
【手続補正３】
【補正対象書類名】明細書
【補正対象項目名】００１０
【補正方法】変更
【補正の内容】
【００１０】
また、本発明の別の一側面に係る音声復号装置は、符号化された音声信号を復号して音声信号を出力する音声復号装置であって、入力された符号化系列から音声信号の時間包絡に関する時間包絡情報を抽出する時間包絡情報抽出部と、前記符号化系列を復号して復号信号を得る復号部と、前記時間包絡情報と前記符号化系列の復号に関する復号関連情報のうち少なくとも一つに基づいて、復号信号における周波数帯域の時間包絡を整形する選択的時間包絡整形部と、を備え、前記選択的時間包絡整形部は、時間包絡を整形しない周波数帯域に対応する前記復号信号を周波数領域において他の信号に置き換えた後、時間包絡を整形する周波数および時間包絡を整形しない周波数に対応する復号信号を、周波数領域において線形予測分析することで線形予測係数を算出し、当該線形予測係数を用いたフィルタを用いて、周波数領域において前記時間包絡を整形する周波数および時間包絡を整形しない周波数に対応する復号信号をフィルタリング処理することで所望の時間包絡に整形し、時間包絡整形後に、前記時間包絡を整形しない周波数帯域に対応する復号信号は他の信号に置き換える前の元の信号に戻す。本構成により、前記音声信号の符号化系列を生成し出力する音声符号化装置にて当該音声符号化装置に入力される音声信号を参照して生成された時間包絡情報に基づき、少ないビット数で符号化された周波数帯域の復号信号の時間包絡を所望の時間包絡に整形し、品質を改善することが可能となる。さらに、より少ない演算量にて、周波数領域における復号信号を用いて、少ないビット数で符号化された周波数帯域の復号信号の時間包絡を所望の時間包絡に整形し、品質を改善することが可能となる。
【手続補正４】
【補正対象書類名】明細書
【補正対象項目名】００１１
【補正方法】変更
【補正の内容】
【００１１】
復号部は、前記符号化系列を復号または/および逆量子化して周波数領域の復号信号を得る復号・逆量子化部と、前記復号・逆量子化部における復号または/および逆量子化の過程で得られる情報、および前記符号化系列を解析して得られる情報のうち少なくとも一つを復号関連情報として出力する復号関連情報出力部とを備える、こととしてもよい。本構成により、少ないビット数で符号化された周波数帯域の復号信号の時間包絡を所望の時間包絡に整形し、品質を改善することが可能となる。
【手続補正５】
【補正対象書類名】明細書
【補正対象項目名】００１２
【補正方法】変更
【補正の内容】
【００１２】
また、復号部は、前記符号化系列から第１符号化系列と第２符号化系列を抽出する符号化系列解析部と、前記第１符号化系列を復号または/および逆量子化して第１復号信号を得て前記復号関連情報として第１復号関連情報を得る第１復号部と、 前記第２符号化系列と第１復号信号のうち少なくとも一つを用いて第２復号信号を得て出力し、前記復号関連情報として第２復号関連情報を出力する第２復号部とを備える、こととしてもよい。本構成により、複数の復号部により復号されて復号信号が生成される際にも、少ないビット数で符号化された周波数帯域の復号信号の時間包絡を所望の時間包絡に整形し、品質を改善することが可能となる。
【手続補正６】
【補正対象書類名】明細書
【補正対象項目名】００１３
【補正方法】変更
【補正の内容】
【００１３】
第１復号部は、前記第１符号化系列を復号または/および逆量子化して第１復号信号を得る第１復号・逆量子化部と、前記第１復号・逆量子化部における復号または/および逆量子化の過程で得られる情報、および前記第１符号化系列を解析して得られる情報のうち少なくとも一つを第１復号関連情報として出力する第１復号関連情報出力部とを備える、こととしてもよい。本構成により、複数の復号部により復号されて復号信号が生成される際に、少なくとも第１の復号部に関連する情報に基づいて、少ないビット数で符号化された周波数帯域の復号信号の時間包絡を所望の時間包絡に整形し、品質を改善することが可能となる。
【手続補正７】
【補正対象書類名】明細書
【補正対象項目名】００１４
【補正方法】変更
【補正の内容】
【００１４】
第２復号部は、前記第２符号化系列と前記第１復号信号のうち少なくとも１つを用いて第２復号信号を得る第２復号・逆量子化部と、前記第２復号・逆量子化部における第２復号信号を得る過程で得られる情報、および前記第２符号化系列を解析して得られる情報のうち少なくとも一つを第２復号関連情報として出力する第２復号関連情報出力部とを備える、こととしてもよい。本構成により、複数の復号部により復号されて復号信号が生成される際に、少なくとも第２の復号部に関連する情報に基づいて、少ないビット数で符号化された周波数帯域の復号信号の時間包絡を所望の時間包絡に整形し、品質を改善することが可能となる。
【手続補正８】
【補正対象書類名】明細書
【補正対象項目名】００１５
【補正方法】変更
【補正の内容】
【００１５】
選択的時間包絡整形部は、前記復号関連情報に基づいて、前記周波数領域の復号信号を各周波数帯域の時間包絡を整形する周波数選択的時間包絡整形部と、前記各周波数帯域の時間包絡を整形された周波数領域の復号信号を時間領域の信号に変換する時間・周波数逆変換部とを備える、こととしてもよい。本構成により、周波数領域において少ないビット数で符号化された周波数帯域の復号信号の時間包絡を所望の時間包絡に整形し、品質を改善することが可能となる。
【手続補正９】
【補正対象書類名】明細書
【補正対象項目名】００１７
【補正方法】変更
【補正の内容】
【００１７】
復号関連情報は、各周波数帯域の量子化値に関連する情報であることとしてもよい。本構成により、各周波数帯域の量子化ステップに応じて、当該周波数帯域の復号信号の時間包絡を所望の時間包絡に整形し、品質を改善することが可能となる。
【手続補正１０】
【補正対象書類名】明細書
【補正対象項目名】００２１
【補正方法】削除
【補正の内容】
【手続補正１１】
【補正対象書類名】明細書
【補正対象項目名】００２２
【補正方法】変更
【補正の内容】
【００２２】
また、本発明の別の一側面に係る音声復号装置は、符号化された音声信号を復号して音声信号を出力する音声復号装置であって、前記符号化された音声信号を含む符号化系列を復号して復号信号を得る復号部と、前記復号信号を周波数領域において線形予測分析して得られた線形予測係数を用いたフィルタを用いて、周波数領域において前記復号信号をフィルタリング処理することで所望の時間包絡に整形する時間包絡整形部と、を備え、前記選択的時間包絡整形部は、時間包絡を整形しない周波数帯域に対応する前記復号信号を周波数領域において他の信号に置き換えた後、時間包絡を整形する周波数および時間包絡を整形しない周波数に対応する復号信号を、周波数領域において線形予測分析することで線形予測係数を算出し、当該線形予測係数を用いたフィルタを用いて、周波数領域において前記時間包絡を整形する周波数および時間包絡を整形しない周波数に対応する復号信号をフィルタリング処理することで所望の時間包絡に整形し、時間包絡整形後に、前記時間包絡を整形しない周波数帯域に対応する復号信号は他の信号に置き換える前の元の信号に戻す。本構成により、周波数領域における復号信号を用いて、当該少ないビット数で符号化された復号信号の時間包絡を所望の時間包絡に整形し、品質を改善することが可能となる。さらに、より少ない演算量にて、周波数領域における復号信号を用いて、少ないビット数で符号化された周波数帯域の復号信号の時間包絡を所望の時間包絡に整形し、品質を改善することが可能となる。
【手続補正１２】
【補正対象書類名】明細書
【補正対象項目名】００２３
【補正方法】削除
【補正の内容】
【手続補正１３】
【補正対象書類名】明細書
【補正対象項目名】００２５
【補正方法】変更
【補正の内容】
【００２５】
すなわち、本発明の一側面に係る音声復号方法は、符号化された音声信号を復号して音声信号を出力する音声復号装置の音声復号方法であって、前記符号化された音声信号を含む符号化系列を復号して復号信号を得る復号ステップと、前記符号化系列の復号に関する復号関連情報に基づいて、復号信号における周波数帯域の時間包絡を整形する選択的時間包絡整形ステップと、を備え、前記選択的時間包絡整形ステップは、時間包絡を整形しない周波数帯域に対応する前記復号信号を周波数領域において他の信号に置き換えた後、時間包絡を整形する周波数および時間包絡を整形しない周波数に対応する復号信号を、周波数領域において線形予測分析することで線形予測係数を算出し、当該線形予測係数を用いたフィルタを用いて、周波数領域において前記時間包絡を整形する周波数および時間包絡を整形しない周波数に対応する復号信号をフィルタリング処理することで所望の時間包絡に整形し、時間包絡整形後に、前記時間包絡を整形しない周波数帯域に対応する復号信号は他の信号に置き換える前の元の信号に戻す。
【手続補正１４】
【補正対象書類名】明細書
【補正対象項目名】００２６
【補正方法】変更
【補正の内容】
【００２６】
また、本発明の一側面に係る音声復号方法は、符号化された音声信号を復号して音声信号を出力する音声復号装置の音声復号方法であって、入力された符号化系列から音声信号の時間包絡に関する時間包絡情報を抽出する時間包絡情報抽出ステップと、前記符号化系列を復号して復号信号を得る復号ステップと、前記時間包絡情報と前記符号化系列の復号に関する復号関連情報のうち少なくとも一つに基づいて、復号信号における周波数帯域の時間包絡を整形する選択的時間包絡整形ステップと、を備え、前記選択的時間包絡整形ステップは、時間包絡を整形しない周波数帯域に対応する前記復号信号を周波数領域において他の信号に置き換えた後、時間包絡を整形する周波数および時間包絡を整形しない周波数に対応する復号信号を、周波数領域において線形予測分析することで線形予測係数を算出し、当該線形予測係数を用いたフィルタを用いて、周波数領域において前記時間包絡を整形する周波数および時間包絡を整形しない周波数に対応する復号信号をフィルタリング処理することで所望の時間包絡に整形し、時間包絡整形後に、前記時間包絡を整形しない周波数帯域に対応する復号信号は他の信号に置き換える前の元の信号に戻す。
【手続補正１５】
【補正対象書類名】明細書
【補正対象項目名】００２７
【補正方法】変更
【補正の内容】
【００２７】
また、本発明の一側面に係る音声復号プログラムは、前記符号化された音声信号を含む符号化系列を復号して復号信号を得る復号ステップと、前記符号化系列の復号に関する復号関連情報に基づいて、復号信号における周波数帯域の時間包絡を整形する選択的時間包絡整形ステップと、をコンピュータに実行させ、前記選択的時間包絡整形ステップは、時間包絡を整形しない周波数帯域に対応する前記復号信号を周波数領域において他の信号に置き換えた後、時間包絡を整形する周波数および時間包絡を整形しない周波数に対応する復号信号を、周波数領域において線形予測分析することで線形予測係数を算出し、当該線形予測係数を用いたフィルタを用いて、周波数領域において前記時間包絡を整形する周波数および時間包絡を整形しない周波数に対応する復号信号をフィルタリング処理することで所望の時間包絡に整形し、時間包絡整形後に、前記時間包絡を整形しない周波数帯域に対応する復号信号は他の信号に置き換える前の元の信号に戻す。
【手続補正１６】
【補正対象書類名】明細書
【補正対象項目名】００２８
【補正方法】変更
【補正の内容】
【００２８】
また、本発明の一側面に係る音声復号プログラムは、入力された符号化系列から音声信号の時間包絡に関する時間包絡情報を抽出する時間包絡情報抽出ステップと、前記符号化系列を復号して復号信号を得る復号ステップと、前記時間包絡情報と前記符号化系列の復号に関する復号関連情報のうち少なくとも一つに基づいて、復号信号における周波数帯域の時間包絡を整形する選択的時間包絡整形ステップと、をコンピュータに実行させ、前記選択的時間包絡整形ステップは、時間包絡を整形しない周波数帯域に対応する前記復号信号を周波数領域において他の信号に置き換えた後、時間包絡を整形する周波数および時間包絡を整形しない周波数に対応する復号信号を、周波数領域において線形予測分析することで線形予測係数を算出し、当該線形予測係数を用いたフィルタを用いて、周波数領域において前記時間包絡を整形する周波数および時間包絡を整形しない周波数に対応する復号信号をフィルタリング処理することで所望の時間包絡に整形し、時間包絡整形後に、前記時間包絡を整形しない周波数帯域に対応する復号信号は他の信号に置き換える前の元の信号に戻す。
【手続補正１７】
【補正対象書類名】明細書
【補正対象項目名】００２９
【補正方法】変更
【補正の内容】
【００２９】
また、本発明の一側面に係る音声復号方法は、符号化された音声信号を復号して音声信号を出力する音声復号装置の音声復号方法であって、前記符号化された音声信号を含む符号化系列を復号して復号信号を得る復号ステップと、前記復号信号を周波数領域において線形予測分析して得られた線形予測係数を用いたフィルタを用いて、周波数領域において前記復号信号をフィルタリング処理することで所望の時間包絡に整形する時間包絡整形ステップと、を備え、前記選択的時間包絡整形ステップは、時間包絡を整形しない周波数帯域に対応する前記復号信号を周波数領域において他の信号に置き換えた後、時間包絡を整形する周波数および時間包絡を整形しない周波数に対応する復号信号を、周波数領域において線形予測分析することで線形予測係数を算出し、当該線形予測係数を用いたフィルタを用いて、周波数領域において前記時間包絡を整形する周波数および時間包絡を整形しない周波数に対応する復号信号をフィルタリング処理することで所望の時間包絡に整形し、時間包絡整形後に、前記時間包絡を整形しない周波数帯域に対応する復号信号は他の信号に置き換える前の元の信号に戻す。
【手続補正１８】
【補正対象書類名】明細書
【補正対象項目名】００３０
【補正方法】削除
【補正の内容】
【手続補正１９】
【補正対象書類名】明細書
【補正対象項目名】００３１
【補正方法】変更
【補正の内容】
【００３１】
また、本発明の一側面に係る音声復号プログラムは、符号化された音声信号を含む符号化系列を復号して復号信号を得る復号ステップと、前記復号信号を周波数領域において線形予測分析して得られた線形予測係数を用いたフィルタを用いて、周波数領域において前記復号信号をフィルタリング処理することで所望の時間包絡に整形する時間包絡整形ステップと、をコンピュータに実行させ、前記選択的時間包絡整形ステップは、時間包絡を整形しない周波数帯域に対応する前記復号信号を周波数領域において他の信号に置き換えた後、時間包絡を整形する周波数および時間包絡を整形しない周波数に対応する復号信号を、周波数領域において線形予測分析することで線形予測係数を算出し、当該線形予測係数を用いたフィルタを用いて、周波数領域において前記時間包絡を整形する周波数および時間包絡を整形しない周波数に対応する復号信号をフィルタリング処理することで所望の時間包絡に整形し、時間包絡整形後に、前記時間包絡を整形しない周波数帯域に対応する復号信号は他の信号に置き換える前の元の信号に戻す。